(57)【要約】【課題】軸筒に接着することなく装着した１カ所の切込部が形成されたＣ型リングに、軸筒を把持した際に指等が触れても、Ｃ型リングが軸筒に対して回転したり前後に移動することのない、Ｃ型リングを装着した筆記具用軸筒を得る。【解決手段】筆記具用軸筒１の先端部２の外側面に凹溝３を形成する。該凹溝３に、周方向に膨出した膨出部４を有する軸心方向に沿って周方向の幅が変化した側壁部５で構成した係止壁部６を外方に突出して設ける。Ｃ型リング１０の切込部９の両端部９ａ、９ｂを、前記係止壁部６の側壁部５の軸心方向の形状に係合可能に形成する。Ｃ型リングを、切込部９の端部９ａ、９ｂを、係止壁部６の側壁部５に係合させて、筆記具用軸筒１の凹溝３に圧入状態で装着する。【選択図】図１
2010264620.tif 000002
【特許請求の範囲】
【請求項１】
１カ所の切込部が形成されたＣ型リングを装着する軸筒の部分に、Ｃ型リングの切込部の周方向の幅より太幅で、軸心方向に沿って周方向の幅が膨出および／または凹むことで変化した側壁部を有する係止壁部を設け、Ｃ型リングの切込部の端部の形状を前記係止壁部の側壁部の軸心方向の形状にならって形成し、Ｃ型リングを、切込部の端部を係止壁部の側壁部に係合して軸筒に装着してなる、Ｃ型リングを装着した筆記具用軸筒。
【請求項２】
前記係止壁部を、該係止壁部の外表面がＣ型リングの装着部分以外の軸筒の外表面より外方に突出させて設けてなる、請求項１に記載のＣ型リングを装着した筆記具用軸筒。
【請求項３】
前記Ｃ型リングの装着部分の軸筒に凹溝を形成し、該凹溝に前記係止壁部を設けて、係止壁部の外表面が隣接する軸筒の外表面と面一状に設けてなる、請求項１に記載のＣ型リングを装着した筆記具用軸筒。
【請求項４】
前記係止壁部の側壁部に、該側壁部の周方向の幅より太幅で側壁部に連接して外方に突出した頭部を設けてなる、請求項１ないし３のいずれか１項に記載のＣ型リングを装着した筆記具用軸筒。
【発明の詳細な説明】
【技術分野】
【０００１】
本発明は、軸筒に、１カ所の切込部が形成されたＣ型リングを装着した筆記具用軸筒に関する。
【背景技術】
【０００２】
従来、筆記具用軸筒において、商品としての価値を高めるために装飾リングを装着することが行なわれているが、装飾リングが軸筒に対して回転したり抜けたりしないように、装飾リングを軸筒に接着等により固定する必要がある。接着剤の使用は、塗布量が多すぎた場合には接着剤がはみ出すことによる汚れが生じたり、塗布量が不足した場合には装飾リングが回転したり抜けたりしてしまい、接着剤を塗る工程において気を使わなければならなく煩わしさがある。
【０００３】
リングを、接着剤を塗布することなく装着する方法として、リングを１カ所の切込部が形成されたＣ型状で、内径を装着する部分の軸筒の外径より小径に形成し、Ｃ型状のリングを軸筒に圧入状態で装着する方法が知られている。
【０００４】
しかし、前記のＣ型状のリングを軸筒に装着したものであっても、リングが軸筒を把持した際に指等が触れてしまうような部分に装着されていると、Ｃ型状の切込部を目立たないような周状の位置にして装着しても、指等がリングに触れてリングが回転してしまい、切込部を所望の位置に留めておくことができないという問題や、リングの軸筒の軸心方向への移動を阻止するためには軸心方向の前後に他の部材等を配設して挟持する等の手段を講ずる必要がある。
【先行技術文献】
【特許文献】
【０００５】
【特許文献１】実開昭６１−３７９９１号公報
【特許文献２】特開平３−１６９５９８号公報
【発明の概要】
【発明が解決しようとする課題】
【０００６】
本発明は、軸筒に接着することなく装着した１カ所の切込部が形成されたＣ型リングに、軸筒を把持した際に指等が触れても、Ｃ型リングが軸筒に対して回転したり前後に移動することのない、Ｃ型リングを装着した筆記具用軸筒を得るものである。
【課題を解決するための手段】
【０００７】
本発明は、
「１．１カ所の切込部が形成されたＣ型リングを装着する軸筒の部分に、Ｃ型リングの切込部の周方向の幅より太幅で、軸心方向に沿って周方向の幅が膨出および／または凹むことで変化した側壁部を有する係止壁部を設け、Ｃ型リングの切込部の端部の形状を前記係止壁部の側壁部の軸心方向の形状にならって形成し、Ｃ型リングを、切込部の端部を係止壁部の側壁部に係合して軸筒に装着してなる、Ｃ型リングを装着した筆記具用軸筒。
２．前記係止壁部を、該係止壁部の外表面がＣ型リングの装着部分以外の軸筒の外表面より外方に突出させて設けてなる、前記１項に記載のＣ型リングを装着した筆記具用軸筒。
３．前記Ｃ型リングの装着部分の軸筒に凹溝を形成し、該凹溝に前記係止壁部を設けて、係止壁部の外表面が隣接する軸筒の外表面と面一状に設けてなる、前記１項に記載のＣ型リングを装着した筆記具用軸筒。
４．前記係止壁部の側壁部に、該側壁部の周方向の幅より太幅で側壁部に連接して外方に突出した頭部を設けてなる、前記１項ないし３項のいずれか１項に記載のＣ型リングを装着した筆記具用軸筒。」
である。
【発明の効果】
【０００８】
本発明は前記したような構造なので、軸筒に１カ所の切込部が形成されたＣ型リングを装着した筆記具用軸筒において、Ｃ型リングを軸筒に接着しなくとも、軸筒を把持した際に指等がリングに触れても、リングが軸筒に対して回転したり前後に移動することがない。
【０００９】
本発明において係止壁部は、請求項２に係る発明のように、軸筒の外表面より外方に突出するように、あるいは請求項３に係る発明のように、係止壁部の外表面が隣接する軸筒の外表面と面一状となるように、どちらに設けても良く、前者では軸筒を机上等に置いた際の軸筒の回転防止手段となり軸筒が転がるのを防止することができ、後者ではデザイン上スッキリしたものとなる。
【００１０】
請求項４に係る発明とすることで、Ｃ型リングの切込部の端部が係止壁部の側壁部に当接した状態を隠すことができ、デザイン上の幅を広げることができる。また、Ｃ型リングの切込部の端部を係止壁部の側壁部に係合した部分が表に現れないので、前記部分に指等が触れてＣ型リングの切込部の端部間の幅を広げることがなく、装着されたＣ型リングを誤って筆記具用軸筒から離脱させてしまう虞がない。また、容易に外すことができないのでＣ型リングを紛失してしまうことがない。
【図面の簡単な説明】
【００１１】
【図１】本発明の第１の実施例を示す、Ｃ型リングを装着した筆記具用軸筒の側面図である。
【図２】図１における、Ａ−Ａ線部分の拡大端面図である。
【図３】図１における、Ｃ型リングの拡大斜視図である。
【図４】本発明の第２の実施例を示す、Ｃ型リングを装着した筆記具用軸筒の側面図である。
【図５】図４における、Ｂ−Ｂ線部分の拡大端面図である。
【図６】図４において、Ｃ型リングを装着した筆記具用軸筒を下側から見た図である。
【発明を実施するための最良の形態】
【００１２】
本発明のＣ型リングを装着した筆記具用軸筒は、軸筒に、Ｃ型リングの切込部の軸径方向の幅より若干太幅で軸心方向に沿って周方向の幅が変化した側壁部を有する係止壁部を設け、Ｃ型リングの切込部の端部の形状を前記係止壁部の側壁部の軸心方向の形状にならって形成し、側壁部をＣ型リングの切込部の両端部で挟持するようにしてＣ型リングを装着する。
【実施例１】
【００１３】
以下、本発明の実施例を図面を用いて説明する。
図１〜図３に示す第１の実施例のＣ型リングを装着した筆記具用軸筒は、キャップ式の筆記具において、例えば万年筆のインキカートリッジ等（図示せず）を収容する「胴軸」と呼ばれている部分の軸筒である。第１の実施例の筆記具用軸筒１は、開口した先端部２（図１において左側）の外側面に凹溝３を形成してあり（図２を参照）、該凹溝３には、周方向（図１において上下方向）に膨出した膨出部４を軸心方向の中央部に有する、軸心方向に沿って周方向の幅が変化した側壁部５で構成した係止壁部６を外方に突出して設けてある。係止壁部６の外表面７は、隣接する筆記具用軸筒１の外表面８と面一状にして設けてある。
【００１４】
図３に示すように、１カ所の切込部９が形成されたＣ型リング１０は、切込部９の両端部９ａ、９ｂを係止壁部６の側壁部５に係合可能に側壁部５の軸心方向の形状にならって設けてある。Ｃ型リング１０における内径は、筆記具用軸筒１の凹溝３の外径より若干小径としてあり、Ｃ型リング１０は、筆記具用軸筒１の凹溝３に切込部９の両端部９ａ、９ｂを側壁部５に係合させて圧入状態で装着してある。
【実施例２】
【００１５】
図４〜図６に示す第２の実施例のＣ型リングを装着した筆記具用軸筒は、第１の実施例の筆記具用軸筒１と同様の「胴軸」と呼ばれているもので、筆記具用軸筒２１の開口した先端部２２（図４において左側）の外側面に凹溝２３を形成してある（図５を参照）。凹溝２３には、第１の実施例の筆記具用軸筒１と同様に、軸径方向（図４において上下方向）に膨出した膨出部２４を軸心方向の中央部に有する、軸心方向に沿って周方向の幅が変化した側壁部２５と、該側壁部２５の周方向（図４において上下方向）の幅より太幅に形成した頭部２６とで構成した係止壁部２７を、図５に示すように凹溝２３より外方に突出し、該係止壁部２７の頭部２６の外表面２８を軸筒２１の外表面２９より、外方に突出させて設けてある。
【００１６】
第２の実施例におけるＣ型リングは、第１の実施例におけるＣ型リング１０と同じものであり（図３を参照）、切込部９の両端部９ａ、９ｂを側壁部２５に係合して、係止壁部２７の側壁部２５に係合させ、軸筒２１の凹溝２３に圧入状態で装着してある。
【００１７】
第２の実施例における筆記具用軸筒２１は、係止壁部２７が、軸筒２１を机上（図示せず）等に置いた際の筆記具用軸筒２１の回転防止手段となる。また、Ｃ型リング１０の切込部９の端部9a、９ｂを係止壁部２７の側壁部２５に係合した部分が表に現れないので、無理に装着されたＣ型リングを筆記具用軸筒から離脱させようとしても、容易にはできない。
【産業上の利用可能性】
【００１８】
本発明は、筆記用キャップや、例えば万年筆等における、インキカートリッジ等を収容する「胴軸」と呼ばれている軸筒や、ペンを装着した「首軸」と呼ばれている先軸等の筆記具用軸筒のみならず、工具やその他の道具におけるリングを装着する軸筒等にも適用できる。
【符号の説明】
【００１９】
１、２１  筆記具用軸筒
３、２３  凹溝
５、２５  側壁部
６、２７  係止壁部
９  切込部
１０  Ｃ型リング
【図１】
2010264620.tif 000003
【図２】
2010264620.tif 000004
【図３】
2010264620.tif 000005
【図４】
2010264620.tif 000006
【図５】
2010264620.tif 000007
【図６】
2010264620.tif 000008